(57)【要約】【課題】ノック式筆記具において、自動復帰機構と安全機構を設けたノック式筆記具を得る。【解決手段】ノック体５をばね７により後方に付勢して設ける。軸筒２内に前側壁部材１６と後側壁部材２０とで区画したボール収容室２３を設けてボール２４を収容する。筆記体３１の後端部にホルダー部材３２を設け、後端に前側壁部材１６を貫通してボール収容室２３内に突出したボール挟持棒体３４を設ける。ノック体５にホルダー部材３２の後端面に当接可能なホルダー押棒体２９を連接する。クリップ１０に、軸部３内に突出する突出部１４を設ける。軸部３内に、後端を前記突出部１４に当接し、先端をボール２４に当接可能なボール押棒４０を設ける。ボール２４をボール挟持棒体３４と後側壁部材２０とで挟持し、ボール押棒４０がボール２４に衝接することで、ボール２４の挟持を解除するようにする。【選択図】図２
2010105176.tif 000002
【特許請求の範囲】
【請求項１】
軸筒内に収容したばねにより後方に付勢した筆記体を、軸筒の後端部に設けたノック体を押圧して前進させ、筆記体の筆記先端部を軸筒の先端開口部から突出する、クリップを有したノック式筆記具であって、前記クリップを、後端部を押圧することにより先端部が軸筒側面から離間するように回動可能に軸筒の側部に枢軸を形成して設け、クリップの後端部に、軸筒の側面に向って突出した突出部を設け、該突出部に対向した軸筒の側部に軸筒の内外を連通する係止孔を設け、突出部を係止孔に挿入して軸筒内に突出させ、前記ノック体を、ばねにより後方に付勢して配し、軸筒の先端開口部側のノック体の前方の軸筒内に、軸筒に対して移動することのないように形成した前側壁部と後側壁部とで区画したボール収容室を設け、該ボール収容室内にボールを収容し、前側壁部の前方の軸筒内に前後に移動可能に収容した筆記体の後端部に、該後端部を保持したホルダー部材を設け、該ホルダー部材の後端に、前側壁部に貫通してボール収容室内に突出し前側壁部に対して移動可能なボール挟持棒体を設け、前側壁部と後側壁部とを貫通して前側壁部と後側壁部に対して前後動可能にかつ先端がホルダー部材の後端面に当接または連接したホルダー押棒体を、ノック体に連動して移動可能にノック体にまたはノック体に連接した部材に設け、軸筒内に、後側壁部に貫通し先端がボール収容室内に突出可能であって後端を前記突出部に当接したボール押棒を、ばねにより後方に付勢して前後に移動可能に設けた構造であって、ボール収容室内に収容されたボールをボール挟持棒体と後側壁部とで挟持することで、筆記体の筆記先端部を軸筒の先端開口部から突出した状態を維持し、クリップ先端部が持ち上がることでクリップの突出部がボール押棒を押圧し、該ボール押棒が前進して先端がボールに衝接し、ボールが挟持から抜け出すことで筆記体の筆記先端部を軸筒の先端開口部に没入することを特徴とする、ノック式筆記具。
【請求項２】
前記ボール挟持棒体を、ホルダー部材の後端面の軸筒の内壁面側の近傍に偏倚した位置に設けるとともに、前側壁部のボール収容室を形成する後方壁面と後側壁部のボール収容室を形成する前方壁面とを軸筒の軸径方向においてボール挟持体が位置する側に傾斜して設け、軸筒の先端開口部を下側に向けて軸筒を把持した際に、ボールがインキ収容室内をボール挟持棒体側に移動するようにしたことを特徴とする、請求項１に記載のノック式筆記具。
【発明の詳細な説明】
【技術分野】
【０００１】
本発明は、ノック体を押圧することにより筆記体の筆記先端部を軸筒の先端開口部より突出し、筆記具を机上等へ載置した際の軸筒への僅かな衝撃により筆記体の筆記先端部を軸筒の先端開口部に没入させる自動復帰機構を設けた、ノック式筆記具に関する。
【背景技術】
【０００２】
従来、軸筒に設けられたノック操作部に連接した筆記体を、ノック操作により筆記体の筆記先端部を軸筒の先端開口部より突出し、筆記具を横にすると自動的に筆記体の筆記先端部が軸筒の先端開口部に没入する筆記具が、特開２００７−１５２３９号公報により提案されている。
【０００３】
前記公報に記載された「ボールペン」における自動復帰機構は、（イ）ノッカー４に係脱する係合部１２を備えた作動軸１０と、該作動軸１０の後端に設けた曲折可能なジョイント部材６と、該ジョイント部材６に連結した錘部材８とを備え、（ロ）前記ノッカー４を押し下げて筆記体２の先端を筆記具本体１の先端から突出させるとき、該ノッカー４は作動軸１０の係合部１２に係合し、作動軸１０を押し下げるとともに、ノッカー４に形成された係止凸部１５の上面がガイド筒９の底面に当接し、（ハ）筆記具本体１を傾けたときには、上記錘部材８が傾動して作動軸１０を持ち上げ、作動軸１０の係合部１２が、上記係止凸部１５の上面がガイド筒９の底面に当接したのを解除するものである。
【０００４】
前記技術のノック操作により筆記体の筆記先端部を軸筒の先端開口部より出没させる出没機構は、隆起部を有したスライド片（ノッカー４）を各筆記体の後端に装着し、隆起部を軸筒後端部に形成した摺動溝より外方に突出させ、隆起部を軸筒の先端方向に前進操作することにより筆記体を前進させ、スライド片（ノッカー４）に形成した係止部を軸筒後端部に形成した被係止部に係止して筆記体の先端部を軸筒の先端開口部から突出させてなる「スライド式」と呼ばれている繰出機構であり、それが故に、軸筒の後端に自動復帰機構を付設した構造となっている。ノック可能に軸筒の後端開口部より一部を外方に突出させたノック体を配した出没機構では、採用が困難である。
【０００５】
また、錘部材８を利用して、筆記具本体１を傾けたときに、前記錘部材８が傾動して作動軸１０を持ち上げ、作動軸１０の係合部１２が、上記係止凸部１５の上面がガイド筒９の底面に当接したのを解除する構造のために、筆記時においては、筆記具本体を傾けて筆記するのが極普通であり、普通の筆記時のときより傾けた際に作動軸１０を持ち上げるようにするには、錘部材８をより傾動させたときに作動軸１０を持ち上げる必要があり、錘部材８を収容する収容部７は大きな容積が必要となり、デザイン上好ましいものではない。また、筆記面が、例えば机上等に置かれた紙面に筆記する場合だけとは限らず、黒板等の立設した壁面に貼られた紙面に筆記する場合もある。こうした場合には、筆記具本体を略水平にした状態で筆記するようになり、筆記ができないという問題がでてしまう。
【０００６】
また従来、ノック式筆記具において、誤って筆記体の筆記先端部が軸筒の先端開口部から突出した状態でポケット等に挿着した際に、筆記部からのインキ流出によりポケット等を汚さないように、安全機構を備えた多種多様のノック式筆記具が提案されているが、自動復帰機構を備えたノック式筆記具において、さらに前記安全機構を付加したノック式筆記具は提案されていない。自動復帰機構のほとんどの構造は、筆記具を水平にした際に、筆記体の筆記先端部が軸筒の先端開口部から突出した状態から軸筒の先端開口部に没入する構造のために、安全機構を設ける必要性は低いものの、筆記後または筆記中に他の用事を行なうために筆記状態からすぐにポケット等に挿着してしまうことがあり、必要性がないというものでもない。
【０００７】
前記した自動復帰機構と安全機構を備えたノック式筆記具を得ようとすると、構造が複雑になったり、新たな部材が必要となったりしてコスト面や製造面でどうしても高くなってしまうという問題があり、なかなか実現しなかった。
【０００８】
ところで安全機構については、前記したように、多種多様のものが提案されているが、中でも実公平２−１９２７３号に開示された、軸筒後端に押圧子（ノック体）を有し、軸筒内には前後動自在に筆記体を配置し、該筆記体を前記押圧子（ノック体）に付勢する如くなし、軸筒後部に取付けたクリップの先方に係止部を設け、前記押圧子（ノック体）をノックすることにより  押圧子（ノック体）と連動する係合部をクリップの係合部に係合させ、筆記体の筆記部を軸筒先端より突出するようにした構造のものがある。前記開示された構造は、構造がいたって簡単で組立作業も容易であるという利点があり、本発明者はこのクリップを利用した安全機構に着眼し、自動解除機構と安全機構を備えたノック式筆記具を具現化することを思いつき、本発明に至った。
【特許文献１】特開２００７−１５２３９号公報
【特許文献２】実公平２−１９２７３号公報
【発明の開示】
【発明が解決しようとする課題】
【０００９】
本発明は、軸筒の後端部内に、ノック可能に軸筒の後端開口部より一部を外方に突出させたノック体を配したノック式筆記具において、ノック体を押圧することにより筆記体の筆記先端部を軸筒の先端開口部より突出して維持し、筆記具を机上等へ置いた際の軸筒への僅かな衝撃により筆記体の筆記先端部を軸筒の先端開口部に没入させる自動復帰機構を設け、かつポケット等に挿着する際に、クリップを持ち上げることで軸筒の先端開口部より突出した筆記体の筆記先端部を軸筒の先端開口部に没入させる安全機構を設けたノック式筆記具を得るものである。
【課題を解決するための手段】
【００１０】
本発明は、
「１．軸筒内に収容したばねにより後方に付勢した筆記体を、軸筒の後端部に設けたノック体を押圧して前進させ、筆記体の筆記先端部を軸筒の先端開口部から突出する、クリップを有したノック式筆記具であって、前記クリップを、後端部を押圧することにより先端部が軸筒側面から離間するように回動可能に軸筒の側部に枢軸を形成して設け、クリップの後端部に、軸筒の側面に向って突出した突出部を設け、該突出部に対向した軸筒の側部に軸筒の内外を連通する係止孔を設け、突出部を係止孔に挿入して軸筒内に突出させ、前記ノック体を、ばねにより後方に付勢して配し、軸筒の先端開口部側のノック体の前方の軸筒内に、軸筒に対して移動することのないように形成した前側壁部と後側壁部とで区画したボール収容室を設け、該ボール収容室内にボールを収容し、前側壁部の前方の軸筒内に前後に移動可能に収容した筆記体の後端部に、該後端部を保持したホルダー部材を設け、該ホルダー部材の後端に、前側壁部に貫通してボール収容室内に突出し前側壁部に対して移動可能なボール挟持棒体を設け、前側壁部と後側壁部とを貫通して前側壁部と後側壁部に対して前後動可能にかつ先端がホルダー部材の後端面に当接または連接したホルダー押棒体を、ノック体に連動して移動可能にノック体にまたはノック体に連接した部材に設け、軸筒内に、後側壁部に貫通し先端がボール収容室内に突出可能であって後端を前記突出部に当接したボール押棒を、ばねにより後方に付勢して前後に移動可能に設けた構造であって、ボール収容室内に収容されたボールをボール挟持棒体と後側壁部とで挟持することで、筆記体の筆記先端部を軸筒の先端開口部から突出した状態を維持し、クリップ先端部が持ち上がることでクリップの突出部がボール押棒を押圧し、該ボール押棒が前進して先端がボールに衝接し、ボールが挟持から抜け出すことで筆記体の筆記先端部を軸筒の先端開口部に没入することを特徴とする、ノック式筆記具。
２．前記ボール挟持棒体を、ホルダー部材の後端面の軸筒の内壁面側の近傍に偏倚した位置に設けるとともに、前側壁部のボール収容室を形成する後方壁面と後側壁部のボール収容室を形成する前方壁面とを軸筒の軸径方向においてボール挟持体が位置する側に傾斜して設け、軸筒の先端開口部を下側に向けて軸筒を把持した際に、ボールがインキ収容室内をボール挟持棒体側に移動するようにしたことを特徴とする、前記１項に記載のノック式筆記具。」
である。
【００１１】
本発明においては、前記ボール挟持棒体は、ホルダー部材と一体に形成して設けても良いし、別部材で形成しホルダー部材に固定して設けても良い。ボール挟持棒体の形状や大きさについては特に制約はなく、断面が四角形状または円形状の棒状体であっても良いしパイプ状であっても良いが、重要なのは、ボール挟持棒体がボールを後側壁部に押圧することでボール挟持棒体と後側壁部とで確実に挟持でき、軸筒への僅かな衝撃によりボールが挟持から抜け出すようにすることで、ボール挟持棒体の形状や大きさは、ノック体を後方へ付勢するばねの付勢力やボールの大きさや重量等を考慮して適宜決定すれば良い。軸筒への僅かな衝撃により、ボールが挟持から抜け出し易くするには、ボール挟持棒体のボールへの当接部分がボールの中心位置より若干偏倚した位置で当接するように設けることが好ましい。
【００１２】
前記ホルダー押棒体は、ノック体に直に設けても良いし、またはノック体に連動して移動可能なノック体に連接した部材に設けても良い。また、ホルダー押棒体の先端は、ホルダー部材に当接可能に、あるいはホルダー部材に固定して設けても良く、ノック体およびホルダー押棒体およびホルダー部材を一体に形成して設けても良い。すなわち、ノック体を押圧してノック体を前進させることにより、ホルダー押棒体も前進し、ホルダー部材も連動して前進するように、ホルダー押棒体を設ければ良い。ホルダー押棒体の形状や大きさについては、特に制約はないが、ボール収容室に収容されたボールの軸径方向への移動の妨げとならないような位置に適度な大きさのものを設ける必要がある。
【００１３】
前記前側壁部の軸心方向の長さは、ノック体へのノック操作によるノック体の前進にともない筆記体の筆記先端部が軸筒の先端開口部から突出した際に、ホルダー部材もノック体に連動して前進し、ボール挟持棒体も前進するので、該ボール挟持棒体の後端が前側壁部より抜け出さない程度の長さが必要である。
【００１４】
前記ボール押棒の形状や大きさについては、特に制約はない。断面が四角形状または円形状の棒状体であっても良いしパイプ状であっても良いが、重要なのは、ボール押棒がボールに当接した際に、ボール挟持棒体と後側壁部とで挟持されたボールが、その挟持から抜け出すようなボールの位置に当接するように後側壁部に配するように、軸筒内部に設けることである。
【００１５】
本発明においては、ボールがボール挟持棒体と後側壁部とで挟持されたときに筆記先端が軸筒の先端開口部より突出するので、ボールの大きさは、それを満足するように設定する必要がある。ボールの材質については、特に制約はない。
【発明の効果】
【００１６】
本発明のノック式筆記具は、前記したような構造とすることにより、軸筒の後端部内に、ノック可能に軸筒の後端開口部より一部を外方に突出させたノック体を配したノック式筆記具において、ノック体を押圧することにより筆記体の筆記先端部を軸筒先の端開口部より突出して維持し、筆記具を机上等へ載置した際の軸筒への僅かな衝撃により筆記体の筆記先端部を軸筒の先端開口部に没入させる自動復帰機構を設け、かつクリップを持ち上げることで軸筒の先端開口部より突出した筆記体の筆記先端部を軸筒の先端開口部に没入させる安全機構を設けたノック式筆記具を得ることができた。
【００１７】
自動復帰機構を有したのみのノック式筆記具では、筆記体の筆記先端部を軸筒の先端開口部より突出した状態で、ポケット等に挿着してしまう場合があるが、本発明のノック式筆記具においては、前記したよう安全機構を有ているので、ポケット等に挿着する際のクリップの持ち上がりにより、筆記先端部が軸筒の先端開口部より突出した筆記体の筆記先端部を軸筒の先端開口部に没入するので、筆記先端部が軸筒の先端開口部より突出した状態でポケット等に挿着することがなく、インキでポケットの布地を汚す心配がない。
【００１８】
また、本発明のノック式筆記具は、前記したような構造なので、ボールを後側壁部とで挟持して保持するためのボール挟持棒体のボールへの押圧力、すなわち筆記体を後方へ付勢しているばねの弾発力と、ボールの重量を調整することにより、筆記具を水平に傾けることにより、ボールの重量がボール挟持棒体の押圧力より勝り、自動的に、筆記先端部の軸筒の先端開口部からの突出状態を解除して、筆記先端部を軸筒の先端開口部に没入できるノック式筆記具とすることもできる。
【００１９】
請求項２に係る発明とすることで、軸筒の先端開口部を下側に向けて、ノック体を押圧してボールをボール挟持棒と後側壁部とで挟持する際に、ボールがボール収容室内のボール挟持棒体が位置する位置に重力で自動的に移動するので、容易にボールをボール挟持棒体と後側壁部とで挟持できるという利点がある。
【発明を実施するための最良の形態】
【００２０】
本発明のノック式筆記具は、ノック体と筆記体との間にボールを介在することにより、筆記体をボールがボール挟持棒体と後側壁部とで挟持される分だけ前進させて、筆記体の筆記先端部を軸筒の先端開口部から突出させて、その状態を維持し、クリップを持ち上げることで、ボール押棒がボールに衝接してボールを移動し、ノック体と筆記体との間のボールの介在を解除し、軸筒の先端開口部より突出した筆記体の筆記先端部を軸筒の先端開口部に没入させる構造とするものである。
【実施例】
【００２１】
本発明のノック式筆記具の実施例を図面を用いて説明するが、本発明は以下の実施例に限定されるものではない。
図１〜図４に示す本実施例のノック式筆記具１の軸筒２は、円筒状の軸部３と先窄み状の口先部４とで構成されている。軸部３の後端部３ａ内には、本体部５ａと該本体部５ａの外径より大径な押圧部５ｂとで構成されたノック体５を、軸部３の内壁に内方に突出させて形成した固定段部６に前記本体部５ａを遊嵌し、固定段部６と押圧部５ｂとの間にばね７を介在してノック体５を後方に付勢した状態で、押圧部５ｂの一部を軸部３の後端開口部３ｂより外方に突出させて配してある。ノック体５は、本体部５ａの先端（図１において左側方向）に形成したねじ部８に円筒状のストッパー部材９をねじ嵌合して前記固定段部６の前方（図１において左側方向）に位置させ、ストッパー部材９が固定段部６に当接することで、軸部３の後端開口部３ｂより抜け出さないようにしてある。
【００２２】
軸部３の後端部３ａには、クリップ１０を、クリップ先端部１０ａが軸部３の側面３ｃに当接、側面３ｃから離間するように回動可能にクリップ１０に枢軸１１を設けて具設してある。クリップ１０の後端部１０ｂにはばね１２が装着してあり、常にクリップ１０の玉部１３が軸部３の側面３ｃに押圧された状態態にしてある。クリップ１０の後端部１０ｂを押圧することにより、枢軸１１を支点としてクリップ１０の玉部１３を軸部３の側面３ｃから離間可能としてある。また、前記枢軸１３より後方のクリップの後端部１０ｂの裏面側１０ｂａには、軸部３の側面３ｃに向って突出した突出部１４を設けてあり、該突出部１４に対向した軸部３の側面３ｃの箇所に、軸部３筒の内外を連通する係止孔１５を設け、該係止孔１５に前記突出部１４を遊嵌して軸筒内に突出させてある。
【００２３】
ストッパー部材９の前方（図１において左側方向）の軸部３の内部には、図３に示すような断面が円形状の前側壁部材１６を、軸部３内を移動することのないように、軸部３に打ち込んだピン１７を、前側壁部材１６の側部１８に設けた貫通孔１９に挿入することで軸部３に固定して設けてある。また、前記前側壁部材１６の後方でストッパー部材９より前方の位置の軸部３の内部には、図４に示すような断面が円形状の後側壁部材２０を、軸部３内を移動することのないように、前記前側壁部材１６と同様に、軸部３に打ち込んだピン１７を、後側壁部材２０の側部２１に設けた貫通孔２２に挿入することで軸部３に固定して設けてある。
【００２４】
前記前側壁部材１６と後側壁部材２０とで区画したボール収容室２３には、黄銅で製造した直径が６．４ｍｍのボール２４を収容してある。ボール収容室２３を構成する前側壁部材１６の後方端面２５と後側壁部材２０の前方端面２６を、軸部３の軸径方向に約５度傾斜させて（図１においては上側が、左側方向に傾いた状態）設けてある。
【００２５】
前側壁部材１６と後側壁部材２０の、後方端面２５と前方端面２６が傾いた最後方部側の各々の一方の端部１６ａ、２０ａ（図１においては軸部３の下側の内壁側）には、凹溝２７、２８を設けてあり、前記ノック体５にねじ嵌合したストッパー部材９の一方の端部９ａ（図１においては軸部３の下側の内壁側）にストッパー部材９と一体に形成した棒状のホルダー押棒体２９が、前側壁部材１６および後側壁部材２０に対して前後動可能に遊嵌している。なお、本実施例ではホルダー押棒体２９をストッパー部材９と一体に形成したが、別部材で形成してストッパー部材９に固定しても良い。
【００２６】
前側壁部材１６の前方の軸筒２内には、前後に移動可能にかつばね３０により後方に付勢して筆記体３１が収容してあり、該筆記体３１の後端部３１ａにはホルダー部材３２が、該ホルダー部材３２に設けた嵌合溝３３に後端部３１ａを嵌合して装着してある。
【００２７】
前記ホルダー部材３２の後端面３２ａには、後方（図１において右側方向）に向って突出したボール挟持棒体３４を、前側壁部材１６の後方端面２５が傾斜した筆記体３１に近い軸部３の内壁面側（１において上側の壁面）の近傍に偏倚し位置に設けてある。前記前側壁部材１６には、図３に示すように、凹溝２７と反対側の他方の端部１６ｂ（図３において上側端部）に貫通したボール挟持棒体用孔３５を形成してあり、前記ボール挟持棒体３４は、ボール挟持棒体用孔３５を通ってボール収容室２３内に突出している。
【００２８】
軸部３の後端部３ａの前記クリップ１０を取付けた取付部３６の内側の内方に膨出した内壁部３７には、前記係止孔１５に開口した嵌合孔３８を設けてあり、該嵌合孔３８の外径より大径な膨出部３９を有した棒状のボール押棒４０を、先端部４０ａを前記後側壁部材２０のボール挟持棒体３４に対向した側の他方の端部２０ｂに形成した第２凹溝４１に挿入し、前記膨出部３９を嵌合孔３８より前方（図２において左側方向）に位置させて、後端部４０ｂを嵌合孔３８に遊嵌して配設してある。膨出部３９と後側壁部材２０の後方端面４２との間にはばね４３を設けて、ボール押棒４０を後方に付勢してある。通常は、ボール押棒４０の先端は、後側壁部材２０の第２凹溝４１内に位置するように設けてありるが、ボール押棒４０が押圧されて前進するとインキ収容室２３内に突出する。ボール押棒４０の後端は、クリップ１０に設けた突出部１４に当接させてある。
【００２９】
次に、動作について図５〜図９を用いて説明すると、先ず、ノック体５を押圧すると、図５に示すように、ノック体５およびノック体５に連接したストッパー部材９が前進し、ストッパー部材９に設けたホルダー押棒体２９の先端がホルダー部材３２の後端面３２ａに当接して押圧し、ホルダー部材３２も前進する。その結果、ボール挟持棒体３４の先端は前側壁部材１６のボール挟持棒体用孔３５内に没入し、筆記体３１の筆記先端部４４は、口先部４の先端開口部４５より突出する。
【００３０】
このときに、口先部４が下側に向くように軸筒２を立てると、図６（便宜上、軸筒２を水平状態に描いてある。）に示すように、前側壁部材１６の後方端面２５と後側壁部材２０の前方端面２６とが傾斜しているので、ボール２４はボール収容室２３内を転がってボール挟持棒体３４の位置側に移動する。ノック体５を若干後退して、筆記体３１とホルダー部材３２を後退させ、ボール挟持棒体３４をボール収容室２３内に突出させて、ボール挟持棒体３４でボール２４を後側壁部材２０の前方端面２６に押しつけることで、ボール２４をボール挟持棒体３４と後側壁部材２０とで挟持する。ノック体５への押圧を解除すると、図７に示すように、ノック体５はばね７の付勢力により元の位置に復帰するが、ボール挟持棒体３４は筆記体３１を後方に付勢するばね３０により筆記体３１を介して後方に押圧されているので、ボール２４をボール挟持棒体３４と後側壁部材２０とで挟持し続ける。
【００３１】
図８に示すように、クリップ１０の後端部１０ｂを押圧して、先端部１０ａの玉部１３を軸部３の側面３ｃより離間させて持ち上げることにより、クリップ１０に設けた突出部１４がボール押棒４０を前方向に押圧し、ボール押棒４０は前進して先端部４０ａをボール収容室２３内に突出させる。
【００３２】
ボール押棒４０の先端は、ボール２４の中心よりずれた位置でボール２４に衝接するので、ボール２４がボール挟持棒体３４と後側壁部材２０との挟持から抜け出し、図９に示すように、筆記体３１の筆記先端部４４は、ばね３０の付勢力により口先部４の先端開口部４５に没入する。
【００３３】
ボール挟持棒体３４を、該ボール挟持棒体３４の先端がボール２４に当接する部分をボール２４の中心よりずれた位置となるように設けて、ボール２４をボール挟持棒体３４と後側壁部材２０とで挟持することで、本実施例のノック式筆記具１を机上等に載置したときの僅かな衝撃により、ボール２４がボール挟持棒体３４と後側壁部材２０との挟持から抜け出し、筆記体３１の筆記先端部４４を口先部４の先端開口部４５に没入するようにすることもできる。
【産業上の利用可能性】
【００３４】
本発明のノック式筆記具は、軸筒内に１本の筆記体を収容した構造のノック式筆記具において、軸筒の先端開口部より突出した筆記体の筆記先端部を、ノック体を操作することなく筆記体の筆記先端部を軸筒の先端開口部に没入させるものである。
【図面の簡単な説明】
【００３５】
【図１】本発明のノック式筆記具の実施例を示す、縦断面図である。
【図２】図１における、要部の拡大図である。
【図３】図１における前側壁部材を示し、（ａ）は前側壁部材の拡大正面図であり、（ｂ）は前側壁部材の拡大側面図である。
【図４】図１における後側壁部材を示し、（ａ）は後側壁部材の拡大正面図であり、（ｂ）は後側壁部材の拡大側面図である。
【図５】本実施例のノック式筆記具のノック体を押圧したときの最初の状態を示す、ノック式筆記具の縦断面図である。
【図６】図５において、ボール収容室のボールが移動し、ボールをボール挟持棒体と後側壁部材とで挟持した状態を示す、ノック式筆記具の縦断面図である。
【図７】本実施例のノック式筆記具において、筆記体の筆記先端部が突出して筆記可能状態を示す、ノック式筆記具の縦断面図である。
【図８】図７の状態において、クリップの先端を持ち上げた状態を示す、ノック式筆記具の縦断面図である。
【図９】クリップの先端を持ち上げて、ボール収容室のボールをボール挟持棒体と後側壁部材との挟持から離脱させた状態を示す、ノック式筆記具の縦断面図である。
【符号の説明】
【００３６】
１  ノック式筆記具
２  軸筒
５  ノック体
７  ばね
９  ストッパー部材
１０  クリップ
１１  枢軸
１４  突出部
１６  前側壁部材
２０  後側壁部材
２３  ボール収容室
２４  ボール
２５  後方端面
２６  前方端面
２９  ホルダー押棒体
３０  ばね
３１  筆記体
３２  ホルダー部材
３４  ボール挟持棒体
４０  ボール押棒
４３  ばね
【図１】
2010105176.tif 000003
【図２】
2010105176.tif 000004
【図３】
2010105176.tif 000005
【図４】
2010105176.tif 000006
【図５】
2010105176.tif 000007
【図６】
2010105176.tif 000008
【図７】
2010105176.tif 000009
【図８】
2010105176.tif 000010
【図９】
2010105176.tif 000011
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
軸筒内に収容したばねにより後方に付勢した筆記体を、軸筒の後端部に設けたノック体を押圧して前進させ、筆記体の筆記先端部を軸筒の先端開口部から突出する、クリップを有したノック式筆記具であって、前記クリップを、後端部を押圧することにより先端部が軸筒側面から離間するように回動可能に軸筒の側部に枢軸を形成して設け、クリップの後端部に、軸筒の側面に向って突出した突出部を設け、該突出部に対向した軸筒の側部に軸筒の内外を連通する係止孔を設け、突出部を係止孔に挿入して軸筒内に突出させ、前記ノック体を、ばねにより後方に付勢して配し、軸筒の先端開口部側のノック体の前方の軸筒内に、軸筒に対して移動することのないように形成した前側壁部と後側壁部とで区画したボール収容室を設け、該ボール収容室内にボールを収容し、前側壁部の前方の軸筒内に前後に移動可能に収容した筆記体の後端部に、該後端部を保持したホルダー部材を設け、該ホルダー部材の後端に、前側壁部に貫通してボール収容室内に突出し前側壁部に対して移動可能なボール挟持棒体を設け、前側壁部と後側壁部とを貫通して前側壁部と後側壁部に対して前後動可能にかつ先端がホルダー部材の後端面に当接または連接したホルダー押棒体を、ノック体に連動して移動可能にノック体にまたはノック体に連接した部材に設け、軸筒内に、後側壁部に貫通し先端がボール収容室内に突出可能であって後端を前記突出部に当接したボール押棒を、ばねにより後方に付勢して前後に移動可能に設けた構造であって、ボール収容室内に収容したボールをボール挟持棒体と後側壁部とで挟持することで、筆記体の筆記先端部を軸筒の先端開口部から突出した状態を維持し、クリップ先端部が持ち上がることでクリップの突出部がボール押棒を押圧し、該ボール押棒が前進して先端がボールに衝接し、ボールが挟持から抜け出すことで筆記体の筆記先端部を軸筒の先端開口部に没入することを特徴とする、ノック式筆記具。
【請求項２】
前記ボール挟持棒体を、ホルダー部材の後端面の軸筒の内壁面側の近傍に偏倚した位置に設けるとともに、前側壁部のボール収容室に面する後方端面と後側壁部のボール収容室に面する前方端面とを、軸筒の先端開口部を下側に向けて軸筒を把持した際に、ボールがボール収容室内をボール挟持棒体側に移動するように、軸筒の軸径方向において傾斜して設けたことを特徴とする、請求項１に記載のノック式筆記具。
【手続補正２】
【補正対象書類名】明細書
【補正対象項目名】００１０
【補正方法】変更
【補正の内容】
【００１０】
本発明は、
「１．軸筒内に収容したばねにより後方に付勢した筆記体を、軸筒の後端部に設けたノック体を押圧して前進させ、筆記体の筆記先端部を軸筒の先端開口部から突出する、クリップを有したノック式筆記具であって、前記クリップを、後端部を押圧することにより先端部が軸筒側面から離間するように回動可能に軸筒の側部に枢軸を形成して設け、クリップの後端部に、軸筒の側面に向って突出した突出部を設け、該突出部に対向した軸筒の側部に軸筒の内外を連通する係止孔を設け、突出部を係止孔に挿入して軸筒内に突出させ、前記ノック体を、ばねにより後方に付勢して配し、軸筒の先端開口部側のノック体の前方の軸筒内に、軸筒に対して移動することのないように形成した前側壁部と後側壁部とで区画したボール収容室を設け、該ボール収容室内にボールを収容し、前側壁部の前方の軸筒内に前後に移動可能に収容した筆記体の後端部に、該後端部を保持したホルダー部材を設け、該ホルダー部材の後端に、前側壁部に貫通してボール収容室内に突出し前側壁部に対して移動可能なボール挟持棒体を設け、前側壁部と後側壁部とを貫通して前側壁部と後側壁部に対して前後動可能にかつ先端がホルダー部材の後端面に当接または連接したホルダー押棒体を、ノック体に連動して移動可能にノック体にまたはノック体に連接した部材に設け、軸筒内に、後側壁部に貫通し先端がボール収容室内に突出可能であって後端を前記突出部に当接したボール押棒を、ばねにより後方に付勢して前後に移動可能に設けた構造であって、ボール収容室内に収容したボールをボール挟持棒体と後側壁部とで挟持することで、筆記体の筆記先端部を軸筒の先端開口部から突出した状態を維持し、クリップ先端部が持ち上がることでクリップの突出部がボール押棒を押圧し、該ボール押棒が前進して先端がボールに衝接し、ボールが挟持から抜け出すことで筆記体の筆記先端部を軸筒の先端開口部に没入することを特徴とする、ノック式筆記具。
２．前記ボール挟持棒体を、ホルダー部材の後端面の軸筒の内壁面側の近傍に偏倚した位置に設けるとともに、前側壁部のボール収容室に面する後方端面と後側壁部のボール収容室に面する前方端面とを、軸筒の先端開口部を下側に向けて軸筒を把持した際に、ボールがボール収容室内をボール挟持棒体側に移動するように、軸筒の軸径方向において傾斜して設けたことを特徴とする、前記１項に記載のノック式筆記具。」
である。
【手続補正３】
【補正対象書類名】明細書
【補正対象項目名】００１６
【補正方法】変更
【補正の内容】
【００１６】
本発明のノック式筆記具は、前記したような構造とすることにより、軸筒の後端部内に、ノック可能に軸筒の後端開口部より一部を外方に突出させたノック体を配したノック式筆記具において、ノック体を押圧することにより筆記体の筆記先端部を軸筒の先端開口部より突出して維持し、筆記具を机上等へ載置した際の軸筒への僅かな衝撃により筆記体の筆記先端部を軸筒の先端開口部に没入させる自動復帰機構を設け、かつクリップを持ち上げることで軸筒の先端開口部より突出した筆記体の筆記先端部を軸筒の先端開口部に没入させる安全機構を設けたノック式筆記具を得ることができた。
【手続補正４】
【補正対象書類名】明細書
【補正対象項目名】００１７
【補正方法】変更
【補正の内容】
【００１７】
自動復帰機構を有したのみのノック式筆記具では、筆記体の筆記先端部を軸筒の先端開口部より突出した状態で、ポケット等に挿着してしまう場合があるが、本発明のノック式筆記具においては、前記したよう安全機構を有しているので、ポケット等に挿着する際のクリップの持ち上がりにより、筆記先端部が軸筒の先端開口部より突出した筆記体の筆記先端部を軸筒の先端開口部に没入するので、筆記先端部が軸筒の先端開口部より突出した状態でポケット等に挿着することがなく、インキでポケットの布地を汚す心配がない。
【手続補正５】
【補正対象書類名】明細書
【補正対象項目名】００１９
【補正方法】変更
【補正の内容】
【００１９】
請求項２に係る発明とすることで、軸筒の先端開口部を下側に向けて、ノック体を押圧してボールをボール挟持棒体と後側壁部とで挟持する際に、ボールがボール収容室内のボール挟持棒体が位置する位置に重力で自動的に移動するので、容易にボールをボール挟持棒体と後側壁部とで挟持できるという利点がある。
【手続補正６】
【補正対象書類名】明細書
【補正対象項目名】００２２
【補正方法】変更
【補正の内容】
【００２２】
軸部３の後端部３ａには、クリップ１０を、クリップ先端部１０ａが軸部３の側面３ｃに当接、側面３ｃから離間するように回動可能にクリップ１０に枢軸１１を設けて具設してある。クリップ１０の後端部１０ｂにはばね１２が装着してあり、常にクリップ１０の玉部１３が軸部３の側面３ｃに押圧された状態にしてある。クリップ１０の後端部１０ｂを押圧することにより、枢軸１１を支点としてクリップ１０の玉部１３を軸部３の側面３ｃから離間可能としてある。また、前記枢軸１３より後方のクリップの後端部１０ｂの裏面側１０ｂａには、軸部３の側面３ｃに向って突出した突出部１４を設けてあり、該突出部１４に対向した軸部３の側面３ｃの箇所に、軸部３筒の内外を連通する係止孔１５を設け、該係止孔１５に前記突出部１４を遊嵌して軸筒内に突出させてある。
【手続補正７】
【補正対象書類名】明細書
【補正対象項目名】００２４
【補正方法】変更
【補正の内容】
【００２４】
前記前側壁部材１６と後側壁部材２０とで区画したボール収容室２３には、黄銅で製造した直径が６．４ｍｍのボール２４を収容してある。ボール収容室２３に面する前側壁部材１６の後方端面２５と後側壁部材２０の前方端面２６を、図１において、上側が口先部４側に約５度寄った傾斜状態に設けてある。